(57)【要約】  エレベーターの種類にかかわらず、階床に応じた情報をかご内に報知することができるエレベーターのかご内操作盤の外付け報知装置を提供する。本発明に係るエレベーターのかご内操作盤の外付け報知装置は、エレベーターのかご内操作盤７に対して取り付けられる筐体１２と、筐体１２に設けられ、情報を報知する報知部１３と、筐体１２に設けられ、かご内操作盤７の外観及び当該かご内操作盤７に対する操作の少なくとも一方から検出部１４により検出された階床を示す情報に基づいて、報知部１３から報知される情報を変化させる制御部１５と、を備える。
2018034006.tif 000002
【特許請求の範囲】
【請求項１】
エレベーターのかご内操作盤に対して取り付けられる筐体と、
前記筐体に設けられ、情報を報知する報知部と、
前記筐体に設けられ、かご内操作盤の外観及び当該かご内操作盤に対する操作の少なくとも一方から検出部により検出された階床を示す情報に基づいて、前記報知部から報知される情報を変化させる制御部と、
を備えたエレベーターのかご内操作盤の外付け報知装置。
【請求項２】
前記筐体は、かご内操作盤のインジケータのうち現在かごが位置する階床が表示される領域を覆う状態で当該かご内操作盤に対して取り付けられ、
前記検出部は、前記筐体に設けられ、かご内操作盤のインジケータに表示される階床を検出する表示検出部を有し、
前記制御部は、前記表示検出部により検出された現在かごが位置する階床に基づいて、前記報知部から報知される情報を変化させる請求項１に記載のエレベーターのかご内操作盤の外付け報知装置。
【請求項３】
前記筐体は、かご内操作盤のインジケータのうち現在かごが位置する階床が表示される領域及び行先階ボタンを覆う状態で当該かご内操作盤に対して取り付けられ、
前記検出部は、前記筐体に設けられ、かご内操作盤のインジケータに表示される階床を検出する表示検出部及び当該かご内操作盤の行先階ボタンのうち操作された行先階ボタンを検出する操作検出部を有し、
前記制御部は、前記表示検出部により検出された現在かごが位置する階床及び前記操作検出部により検出された行先階ボタンが示す階床の少なくとも一方に基づいて、前記報知部から報知される情報を変化させる請求項１に記載のエレベーターのかご内操作盤の外付け報知装置。
【請求項４】
前記制御部は、前記表示検出部により検出された現在かごが位置する階床を前記報知部から報知させる請求項２又は３に記載のエレベーターのかご内操作盤の外付け報知装置。
【請求項５】
前記筐体は、かご内操作盤のインジケータのうち現在かごが位置する階床が表示される領域を覆わずに行先階ボタンを覆う状態で当該かご内操作盤に対して取り付けられ、
前記検出部は、前記筐体に設けられ、かご内操作盤の行先階ボタンのうち操作された行先階ボタンを検出する操作検出部を有し、
前記制御部は、前記操作検出部により検出された行先階ボタンが示す階床に基づいて、前記報知部から報知される情報を変化させる請求項１に記載のエレベーターのかご内操作盤の外付け報知装置。
【請求項６】
前記筐体は、かご内操作盤のインジケータのうち現在かごが位置する階床が表示される領域及び行先階ボタンを覆わない状態で当該かご内操作盤に対して取り付けられ、
前記検出部は、かご内操作盤を撮影可能な位置に設けられた外部カメラであり、当該かご内操作盤のインジケータに表示される階床及び当該かご内操作盤の行先階ボタンのうち操作された行先階ボタンの少なくとも一方を検出し、
前記制御部は、前記外部カメラにより検出された現在かごが位置する階床及び前記外部カメラにより検出された行先階ボタンが示す階床の少なくとも一方に基づいて、前記報知部から報知される情報を変化させる請求項１に記載のエレベーターのかご内操作盤の外付け報知装置。
【請求項７】
前記制御部は、建物の各階床に関連付けられたコンテンツを予め記憶しており、前記検出部による検出結果に基づく階床に関連付けられているコンテンツを前記報知部から報知させる請求項２から６のいずれか１項に記載のエレベーターのかご内操作盤の外付け報知装置。
【発明の詳細な説明】
【技術分野】
【０００１】
本発明は、エレベーターのかご内操作盤の外付け報知装置に関する。
【背景技術】
【０００２】
下記特許文献１には、フロア案内システムが記載されている。このシステムは、エレベーターのかごが位置する階床に応じた画像を当該かご内のモニタに表示する。
【先行技術文献】
【特許文献】
【０００３】
【特許文献１】日本特開２００３−３２１１６６号公報
【発明の概要】
【発明が解決しようとする課題】
【０００４】
特許文献１に記載のシステムでは、かご内のモニタに表示する画像を選択するために、当該かごが位置する階床をエレベーター制御盤から取得する必要がある。このため、上記システムは、適用できるエレベーターが限られる。【０００５】
本発明は、上記の課題を解決するためになされた。その目的は、エレベーターの種類にかかわらず、階床に応じた情報をかご内に報知することができるエレベーターのかご内操作盤の外付け報知装置を提供することである。
【課題を解決するための手段】
【０００６】
本発明に係るエレベーターのかご内操作盤の外付け報知装置は、エレベーターのかご内操作盤に対して取り付けられる筐体と、筐体に設けられ、情報を報知する報知部と、筐体に設けられ、かご内操作盤の外観及び当該かご内操作盤に対する操作の少なくとも一方から検出部により検出された階床を示す情報に基づいて、報知部から報知される情報を変化させる制御部と、を備える。
【発明の効果】
【０００７】
本発明に係るエレベーターのかご内操作盤の外付け報知装置の筐体は、かご内操作盤に対して取り付けられる。制御部は、かご内操作盤の外観及び当該かご内操作盤に対する操作の少なくとも一方から検出された階床を示す情報に基づいて、報知部から報知される情報を変化させる。このため、本発明によれば、エレベーターの種類にかかわらず、階床に応じた情報をかご内に報知することができる。
【図面の簡単な説明】
【０００８】
【図１】エレベーターの構造の一例を示す模式図である。
【図２】エレベーターのかご内操作盤の一例を示す模式図である。
【図３】実施の形態１における外付け報知装置をかご内操作盤に取り付けた状態を示す正面図である。
【図４】実施の形態１における外付け報知装置をかご内操作盤に取り付けた状態を示す側面図である。
【図５】実施の形態１における外付け報知装置の構成を模式的に示す側面図である。
【図６】実施の形態１における外付け報知装置の構成図である。
【図７】実施の形態１における外付け報知装置の動作例を示すフローチャートである。
【図８】実施の形態２における外付け報知装置をかご内操作盤に取り付けた状態を示す正面図である。
【図９】実施の形態２における外付け報知装置をかご内操作盤に取り付けた状態を示す側面図である。
【図１０】実施の形態２における外付け報知装置の構成図である。
【図１１】実施の形態２における外付け報知装置の動作例を示すフローチャートである。
【図１２】実施の形態３における外付け報知装置をかご内操作盤に取り付けた状態を示す正面図である。
【図１３】実施の形態３における外付け報知装置をかご内操作盤に取り付けた状態を示す側面図である。
【図１４】実施の形態３における外付け報知装置の構成図である。
【図１５】実施の形態３における外付け報知装置の動作例を示すフローチャートである。
【図１６】実施の形態４における外付け報知装置をかご内操作盤に取り付けた状態を示す正面図である。
【図１７】実施の形態４における外付け報知装置をかご内操作盤に取り付けた状態を示す側面図である。
【図１８】実施の形態４における外付け報知装置の構成図である。
【図１９】実施の形態４における外付け報知装置の動作例を示すフローチャートである。
【図２０】外付け報知装置のハードウェア構成図である。
【発明を実施するための形態】
【０００９】
添付の図面を参照して、エレベーターのかご内操作盤の外付け報知装置を詳細に説明する。各図では、同一又は相当する部分に同一の符号を付している。重複する説明は、適宜簡略化あるいは省略する。
【００１０】
実施の形態１．
図１は、エレベーターの構造の一例を示す模式図である。
【００１１】
図１に示すように、エレベーター１は、昇降路２、巻上機３、ロープ４、かご５及び釣合おもり６を備えている。昇降路２は、例えば、図示しない建物の各階を貫くように形成されている。巻上機３は、例えば、図示しない機械室等に設けられている。ロープ４は、巻上機３に巻き掛けられている。かご５及び釣合おもり６は、ロープ４によって昇降路２内に吊り下げられている。かご５及び釣合おもり６は、巻上機３が駆動することにより昇降する。巻上機３は、図示しないエレベーター制御盤によって制御される。かご５内には、かご内操作盤７が設けられている。
【００１２】
図２は、エレベーターのかご内操作盤の一例を示す模式図である。図２は、かご５内からかごドア側を見た状態を示している。
【００１３】
図２に示すように、かご内操作盤７は、例えば、かごドア付近の壁面に設けられている。かご内操作盤７は、戸開ボタン８、戸閉ボタン９、複数の行先階ボタン１０及びインジケータ１１を有している。かご内操作盤７は、例えば、図示しないスピーカーを有してもよい。
【００１４】
戸開ボタン８、戸閉ボタン９及び行先階ボタン１０は、例えば、ランプを内蔵している。行先階ボタン１０が操作されると、例えば、当該行先階ボタン１０に内蔵されたランプが点灯する。行先階ボタン１０が示す階床にかご５が停止すると、例えば、当該行先階ボタン１０に内蔵されたランプが消灯する。
【００１５】
インジケータ１１には、現在かご５が位置する階床が表示される。インジケータ１１には、例えば、階床と併せてかご５の移動方向が表示されてもよい。かご５の移動方向は、例えば、上向き又は下向きの矢印で表される。図２に示す例では、インジケータ１１のうち上側の領域に、かご５が位置する階床及びかご５の移動方向が表示されている。以下、当該領域を「階床表示領域」とも呼ぶ。
【００１６】
図３は、実施の形態１における外付け報知装置をかご内操作盤に取り付けた状態を示す正面図である。図４は、実施の形態１における外付け報知装置をかご内操作盤に取り付けた状態を示す側面図である。
【００１７】
外付け報知装置の筐体１２は、かご内操作盤７に取り付けられる。筐体１２は、例えば、かご内操作盤７に対して着脱可能に形成されている。筐体１２は、インジケータ１１のうち少なくとも階床表示領域を覆うように取り付けられる。図３及び図４は、インジケータ１１全体を覆う状態で筐体１２が取り付けられた場合を示している。なお、外付け報知装置は、かご内操作盤７及びエレベーター制御盤と通信する機能を有しない。
【００１８】
外付け報知装置は、報知部１３を備える。図３に示すように、報知部１３は、筐体１２の表側に設けられている。報知部１３は、階床報知部１３ａ及びコンテンツ報知部１３ｂを有する。報知部１３は、少なくとも視覚情報を表示する機能を有する。報知部１３は、例えば、液晶モニタ等である。階床報知部１３ａには、例えば、階床を示す情報及びかご５の移動方向を示す情報が表示される。コンテンツ報知部１３ｂには、例えば、画像及び文字等の情報が表示される。なお、報知部１３は、視覚情報を表示する機能に加えて、音声情報を放送する機能を有してもよい。
【００１９】
図５は、実施の形態１における外付け報知装置の構成を模式的に示す側面図である。
【００２０】
外付け報知装置は、検出部１４及び制御部１５を備える。図５に示すように、検出部１４は、筐体１２の裏側に設けられている。検出部１４は、筐体１２がかご内操作盤７に取り付けられた状態で、インジケータ１１の階床表示領域と対向する。制御部１５は、例えば、筐体１２の内部に設けられている。
【００２１】
図６は、実施の形態１における外付け報知装置の構成図である。
【００２２】
図６に示すように、検出部１４は、表示検出部１６を有する。制御部１５は、記憶部１７、現在階判定部１８、コンテンツ選択部１９及び報知制御部２０を有する。制御部１５は、検出部１４及び報知部１３と電気的に接続されている。
【００２３】
表示検出部１６は、インジケータ１１の階床表示領域に表示される階床を検出する。表示検出部１６は、例えば、階床表示領域に表示されるかご５の移動方向を階床と併せて検出してもよい。表示検出部１６は、例えば、インジケータ１１の階床表示領域を撮影するカメラである。表示検出部１６は、例えば、インジケータ１１の階床表示領域と対向する複数の光センサでもよい。
【００２４】
記憶部１７は、階床判定用データ及びコンテンツを予め記憶している。階床判定用データ及びコンテンツは、対応する階床ごとに記憶されている。階床判定用データとは、例えば、対応する階床にかご５が位置する時の階床表示領域の表示内容を示す画像等である。階床判定用データは、例えば、かご５の移動方向を表す矢印等を含んでもよい。コンテンツは、例えば、対応する階床に存在する店舗、施設及び設備等に関連する情報である。
【００２５】
記憶部１７の記憶内容は、例えば、図示しない保守用端末を用いて追加、変更及び削除可能である。保守用端末は、外付け報知装置と有線通信及び無線通信の少なくとも一方を行う機能を有する。保守用端末は、例えば、パソコン、タブレット端末又はスマートフォン等である。保守作業者は、例えば、保守用端末を操作することで階床判定用データ及びコンテンツの設定を行う。
【００２６】
現在階判定部１８は、表示検出部１６の検出結果を階床判定用データと比較することで、現在かご５が位置する階床を判定する。現在階判定部１８は、現在かご５が位置する階床と併せてかご５の移動方向を判定してもよい。
【００２７】
コンテンツ選択部１９は、現在階判定部１８による判定結果に基づいて、記憶部１７からコンテンツを選択する。コンテンツ選択部１９は、例えば、現在かご５が位置すると判定された階床に関連付けられているコンテンツを選択する。
【００２８】
報知制御部２０は、報知部１３から情報を報知させる。報知制御部２０は、現在階判定部１８により現在かご５が位置すると判定された階床を階床報知部１３ａから報知させる。報知制御部２０は、現在かご５が位置する階床と併せてかご５の移動方向を階床報知部１３ａから報知させてもよい。報知制御部２０は、コンテンツ選択部１９により選択されたコンテンツをコンテンツ報知部１３ｂから報知させる。
【００２９】
報知制御部２０は、階床及びコンテンツ以外の情報を報知部１３から報知させてもよい。報知制御部２０は、例えば、現在の日付、曜日及び時刻等を階床報知部１３ａ及びコンテンツ報知部１３ｂの少なくとも一方から報知させてもよい。
【００３０】
かご５が昇降することで表示検出部１６による検出結果が変化すると、現在階判定部１８による判定結果が変化する。現在階判定部１８による判定結果が変化すると、階床報知部１３ａから報知される階床が変化する。現在階判定部１８による判定結果が変化すると、コンテンツ選択部１９により選択されるコンテンツが変化する。コンテンツ選択部１９により選択されるコンテンツが変化すると、コンテンツ報知部１３ｂから報知されるコンテンツが変化する。つまり、実施の形態１において、報知制御部２０は、表示検出部１６により検出された現在かご５が位置する階床に基づいて、報知部１３から報知される情報を変化させる。
【００３１】
図７は、実施の形態１における外付け報知装置の動作例を示すフローチャートである。
【００３２】
外付け報知装置は、かご内操作盤７のインジケータ１１から現在かご５が位置する階床を検出する（ステップＳ１０１）。外付け報知装置の動作は、インジケータ１１から検出される階床が変化したか否かに応じて異なる（ステップＳ１０２）。インジケータ１１から検出される階床が変化していない場合、外付け報知装置による報知内容は変化しない（ステップＳ１０３）。インジケータ１１から検出される階床が変化した場合、外付け報知装置から報知される階床及びコンテンツが変化する（ステップＳ１０４）。ステップＳ１０３又はステップＳ１０４の後は、ステップＳ１０１の動作が行われる。
【００３３】
実施の形態１において、外付け報知装置の筐体１２は、かご内操作盤７のインジケータ１１のうち現在かご５が位置する階床が表示される領域を覆う状態で、当該かご内操作盤７に対して取り付けられる。検出部１４は、筐体１２に設けられている。検出部１４は、かご内操作盤７のインジケータ１１に表示される階床を検出する表示検出部１６を有する。制御部１５は、表示検出部１６により検出された現在かご５が位置する階床に基づいて、報知部１３から報知される情報を変化させる。このため、実施の形態１によれば、エレベーター制御盤との通信を行うことなく取得されたかごの現在階に基づいて報知内容が変化する。その結果、エレベーターの種類にかかわらず、階床に応じた情報をかご内に報知することができる。
【００３４】
実施の形態１において、制御部１５は、表示検出部１６により検出された現在かご５が位置する階床を報知部１３から報知させる。このため、実施の形態１によれば、外付け報知装置が設置されていない場合と同様に、かごの現在階をかご内に報知できる。
【００３５】
実施の形態２．
以下、実施の形態１との相違点を中心に、エレベーターのかご内操作盤の外付け報知装置の構成を説明する。実施の形態１と同一又は相当する部分には同一の符号を付して、一部の説明を省略する。
【００３６】
図８は、実施の形態２における外付け報知装置をかご内操作盤に取り付けた状態を示す正面図である。図９は、実施の形態２における外付け報知装置をかご内操作盤に取り付けた状態を示す側面図である。
【００３７】
実施の形態２において、外付け報知装置の筐体１２は、少なくともインジケータ１１の階床表示領域及び行先階ボタン１０を覆うように取り付けられる。図８及び図９は、かご内操作盤７全体を覆う状態で筐体１２が取り付けられた場合を示している。
【００３８】
実施の形態２において、筐体１２の表側の面のうち行先階ボタン１０に対応する部位は、それぞれの行先階ボタン１０に対する操作を受け付けられる構造に形成されている。当該部位は、例えば、奥行き方向に移動可能に形成されてもよい。当該部位は、例えば、柔軟性を有する材料で形成されてもよい。当該部位には、例えば、開口が形成されてもよい。なお、戸開ボタン８及び戸閉ボタン９に対応する部位も同様に形成されてもよい。
【００３９】
図１０は、実施の形態２における外付け報知装置の構成図である。
【００４０】
図１０に示すように、実施の形態２において、検出部１４は、表示検出部１６及び操作検出部２１を有する。制御部１５は、記憶部１７、現在階判定部１８、コンテンツ選択部１９、報知制御部２０及び行先階判定部２２を有する。
【００４１】
操作検出部２１は、行先階ボタン１０のうち操作された行先階ボタン１０を検出する。操作検出部２１は、例えば、筐体１２に設けられた圧力センサ又は光センサ等である。操作検出部２１は、例えば、筐体１２のうち行先階ボタン１０の表面に重なる位置に設けられたフィルムセンサでもよい。操作検出部２１は、フィルムセンサとして設けられた場合、行先階ボタン１０が押される圧力を検出する。操作検出部２１は、例えば、筐体１２のうち行先階ボタン１０に対応する開口の縁に設けられた光センサでもよい。操作検出部２１は、光センサとして設けられた場合、行先階ボタン１０に内蔵されたランプの点灯又は行先階ボタン１０に触れた乗客の指を検出する。なお、操作検出部２１は、戸開ボタン８及び戸閉ボタン９に対する操作も検出可能であってもよい。
【００４２】
行先階判定部２２は、操作検出部２１による検出結果に基づいて、かご５の行先階を判定する。複数の行先階ボタン１０が操作された場合、行先階判定部２２は、当該複数の行先階ボタン１０のそれぞれに対応する各階床を行先階であると判定する。
【００４３】
コンテンツ選択部１９は、現在階判定部１８による判定結果及び行先階判定部２２による判定結果に基づいて、記憶部１７からコンテンツを選択する。コンテンツ選択部１９は、例えば、現在かご５が位置すると判定された階床に関連付けられているコンテンツを選択する。コンテンツ選択部１９は、例えば、行先階であると判定された階床に関連付けられているコンテンツを選択する。
【００４４】
かご５が昇降することで表示検出部１６による検出結果が変化すると、現在階判定部１８による判定結果が変化する。現在階判定部１８による判定結果が変化すると、階床報知部１３ａから報知される階床が変化する。現在階判定部１８による判定結果が変化すると、コンテンツ選択部１９により選択されるコンテンツが変化する。行先階ボタン１０が操作されることで操作検出部２１による検出結果が変化すると、行先階判定部２２による判定結果が変化する。行先階判定部２２による判定結果が変化すると、コンテンツ選択部１９により選択されるコンテンツが変化する。コンテンツ選択部１９により選択されるコンテンツが変化すると、コンテンツ報知部１３ｂから報知されるコンテンツが変化する。つまり、実施の形態２において、報知制御部２０は、表示検出部１６により検出された現在かご５が位置する階床及び操作検出部２１により検出された行先階ボタン１０が示す階床に基づいて、報知部１３から報知される情報を変化させる。
【００４５】
図１１は、実施の形態２における外付け報知装置の動作例を示すフローチャートである。
【００４６】
外付け報知装置は、かご内操作盤７のインジケータ１１から現在かご５が位置する階床を検出する（ステップＳ２０１）。外付け報知装置の動作は、インジケータ１１から検出される階床が変化したか否かに応じて異なる（ステップＳ２０２）。また、外付け報知装置の動作は、行先階ボタン１０が操作されたか否かに応じて異なる（ステップＳ２０３）。インジケータ１１から検出される階床が変化しておらず、且つ行先階ボタン１０が操作されていない場合、外付け報知装置による報知内容は変化しない（ステップＳ２０４）。インジケータ１１から検出される階床が変化した場合、外付け報知装置から報知される階床及びコンテンツが変化する（ステップＳ２０５）。インジケータ１１から検出される階床が変化しておらず、且つ行先階ボタン１０が操作された場合、外付け報知装置から報知されるコンテンツが変化する（ステップＳ２０６）。ステップＳ２０４、ステップＳ２０５又はステップＳ２０６の後は、ステップＳ２０１の動作が行われる。
【００４７】
実施の形態２において、外付け報知装置の筐体１２は、かご内操作盤７のインジケータ１１のうち現在かご５が位置する階床が表示される領域及び行先階ボタン１０を覆う状態で、当該かご内操作盤７に対して取り付けられる。検出部１４は、筐体１２に設けられている。検出部１４は、かご内操作盤７のインジケータ１１に表示される階床を検出する表示検出部１６及び当該かご内操作盤７の行先階ボタン１０のうち操作された行先階ボタン１０を検出する操作検出部２１を有する。制御部１５は、表示検出部１６により検出された現在かご５が位置する階床及び操作検出部２１により検出された行先階ボタン１０が示す階床の少なくとも一方に基づいて、報知部１３から報知される情報を変化させる。このため、実施の形態２によれば、エレベーター制御盤との通信を行うことなく取得されたかごの現在階及び行先階に基づいて報知内容が変化する。その結果、エレベーターの種類にかかわらず、階床に応じた情報をかご内に報知することができる。また、行先階に応じた情報を報知することで、エレベーターの乗客の利便性をより向上させることができる。
【００４８】
実施の形態２において、制御部１５は、表示検出部１６により検出された現在かご５が位置する階床を報知部１３から報知させる。このため、実施の形態２によれば、外付け報知装置が設置されていない場合と同様に、かごの現在階をかご内に報知できる。
【００４９】
実施の形態３．
以下、実施の形態１及び２との相違点を中心に、エレベーターのかご内操作盤の外付け報知装置の構成を説明する。実施の形態１又は２と同一又は相当する部分には同一の符号を付して、一部の説明を省略する。
【００５０】
図１２は、実施の形態３における外付け報知装置をかご内操作盤に取り付けた状態を示す正面図である。図１３は、実施の形態３における外付け報知装置をかご内操作盤に取り付けた状態を示す側面図である。
【００５１】
実施の形態３において、外付け報知装置の筐体１２は、インジケータ１１の階床表示領域を覆わずに行先階ボタン１０を覆う状態でかご内操作盤に対して取り付けられる。図１２及び図１３は、かご内操作盤７のうち階床表示領域以外を覆う状態で筐体１２が取り付けられた場合を示している。図１２に示すように、報知部１３は、コンテンツ報知部１３ｂを有し、階床報知部１３ａを有しない。かご５の現在階は、インジケータ１１によってかご５内に報知される。
【００５２】
実施の形態３において、筐体１２の表側の面のうち行先階ボタン１０に対応する部位は、実施の形態２と同様に、それぞれの行先階ボタン１０に対する操作を受け付けられる構造に形成されている。なお、戸開ボタン８及び戸閉ボタン９に対応する部位も同様に形成されてもよい。
【００５３】
図１４は、実施の形態３における外付け報知装置の構成図である。
【００５４】
図１４に示すように、実施の形態３において、検出部１４は、操作検出部２１を有し、表示検出部１６を有しない。制御部１５は、記憶部１７、コンテンツ選択部１９、報知制御部２０及び行先階判定部２２を有する。制御部１５は、現在階判定部１８を有しない。記憶部１７は、コンテンツを予め記憶している。記憶部１７は、階床判定用データを記憶していなくともよい。
【００５５】
コンテンツ選択部１９は、行先階判定部２２による判定結果に基づいて、記憶部１７からコンテンツを選択する。コンテンツ選択部１９は、例えば、行先階であると判定された階床に関連付けられているコンテンツを選択する。
【００５６】
行先階ボタン１０が操作されることで操作検出部２１による検出結果が変化すると、行先階判定部２２による判定結果が変化する。行先階判定部２２による判定結果が変化すると、コンテンツ選択部１９により選択されるコンテンツが変化する。コンテンツ選択部１９により選択されるコンテンツが変化すると、コンテンツ報知部１３ｂから報知されるコンテンツが変化する。つまり、実施の形態３において、報知制御部２０は、操作検出部２１により検出された行先階ボタン１０が示す階床に基づいて、報知部１３から報知される情報を変化させる。
【００５７】
図１５は、実施の形態３における外付け報知装置の動作例を示すフローチャートである。
【００５８】
外付け報知装置の動作は、行先階ボタン１０が操作されたか否かに応じて異なる（ステップＳ３０１）。行先階ボタン１０が操作されていない場合、外付け報知装置による報知内容は変化しない（ステップＳ３０２）。行先階ボタン１０が操作された場合、外付け報知装置から報知されるコンテンツが変化する（ステップＳ３０３）。ステップＳ３０２又はステップＳ３０３の後は、ステップＳ３０１の動作が行われる。
【００５９】
実施の形態３において、外付け報知装置の筐体１２は、かご内操作盤７のインジケータ１１のうち現在かご５が位置する階床が表示される領域を覆わずに行先階ボタン１０を覆う状態で、当該かご内操作盤７に対して取り付けられる。検出部１４は、筐体１２に設けられている。検出部１４は、かご内操作盤７の行先階ボタン１０のうち操作された行先階ボタン１０を検出する操作検出部２１を有する。制御部１５は、操作検出部２１により検出された行先階ボタン１０が示す階床に基づいて、報知部１３から報知される情報を変化させる。このため、実施の形態３によれば、エレベーター制御盤との通信を行うことなく取得されたかごの行先階に基づいて報知内容が変化する。その結果、エレベーターの種類にかかわらず、階床に応じた情報をかご内に報知することができる。また、階床報知部１３ａ、表示検出部１６及び現在階判定部１８が設けられていないため、より簡単な構成で外付け報知装置を実現できる。
【００６０】
実施の形態４．
以下、実施の形態１、２及び３との相違点を中心に、エレベーターのかご内操作盤の外付け報知装置の構成を説明する。実施の形態１、２又は３と同一又は相当する部分には同一の符号を付して、一部の説明を省略する。
【００６１】
図１６は、実施の形態４における外付け報知装置をかご内操作盤に取り付けた状態を示す正面図である。図１７は、実施の形態４における外付け報知装置をかご内操作盤に取り付けた状態を示す側面図である。
【００６２】
実施の形態４において、外付け報知装置の筐体１２は、インジケータ１１の階床表示領域及び行先階ボタン１０を覆わない状態でかご内操作盤に対して取り付けられる。図１６及び図１７は、インジケータ１１のうち階床表示領域以外の部分のみを覆う状態で筐体１２が取り付けられた場合を示している。図１６に示すように、報知部１３は、コンテンツ報知部１３ｂを有し、階床報知部１３ａを有しない。かご５の現在階は、インジケータ１１によってかご５内に報知される。
【００６３】
実施の形態４において、検出部１４は、筐体１２に設けられていない。図１７に示すように、検出部１４としては、例えば、かご５の天井又は内壁等に設置された外部カメラが用いられる。外部カメラは、かご内操作盤７を撮影範囲に含むように位置及び向きが設定されている。外部カメラは、外付け報知装置と有線通信及び無線通信の少なくとも一方を行う機能を有する。
【００６４】
図１８は、実施の形態４における外付け報知装置の構成図である。
【００６５】
図１８に示すように、実施の形態４において、検出部１４は、表示検出部１６及び操作検出部２１を有する。つまり、外部カメラは、表示検出部１６及び操作検出部２１の少なくとも一方として働く。制御部１５は、記憶部１７、現在階判定部１８、コンテンツ選択部１９、報知制御部２０及び行先階判定部２２を有する。
【００６６】
外部カメラは、インジケータ１１の階床表示領域に表示される階床を検出する。表示検出部１６は、例えば、階床表示領域に表示されるかご５の移動方向を階床と併せて検出してもよい。外部カメラは、行先階ボタン１０のうち操作された行先階ボタン１０を検出する。
【００６７】
かご５が昇降することで外部カメラによる検出結果が変化すると、現在階判定部１８による判定結果が変化する。現在階判定部１８による判定結果が変化すると、階床報知部１３ａから報知される階床が変化する。現在階判定部１８による判定結果が変化すると、コンテンツ選択部１９により選択されるコンテンツが変化する。行先階ボタン１０が操作されることで外部カメラによる検出結果が変化すると、行先階判定部２２による判定結果が変化する。行先階判定部２２による判定結果が変化すると、コンテンツ選択部１９により選択されるコンテンツが変化する。コンテンツ選択部１９により選択されるコンテンツが変化すると、コンテンツ報知部１３ｂから報知されるコンテンツが変化する。つまり、実施の形態４において、報知制御部２０は、外部カメラにより検出された現在かご５が位置する階床及び外部カメラにより検出された行先階ボタン１０が示す階床に基づいて、報知部１３から報知される情報を変化させる。
【００６８】
図１９は、実施の形態４における外付け報知装置の動作例を示すフローチャートである。
【００６９】
外部カメラは、かご内操作盤７のインジケータ１１から現在かご５が位置する階床を検出する（ステップＳ４０１）。外付け報知装置の動作は、インジケータ１１から検出される階床が変化したか否かに応じて異なる（ステップＳ４０２）。また、外付け報知装置の動作は、行先階ボタン１０が操作されたか否かに応じて異なる（ステップＳ４０３）。インジケータ１１から検出される階床が変化しておらず、且つ行先階ボタン１０が操作されていない場合、外付け報知装置による報知内容は変化しない（ステップＳ４０４）。インジケータ１１から検出される階床が変化した場合、外付け報知装置から報知されるコンテンツが変化する（ステップＳ４０５）。また、行先階ボタン１０が操作された場合、外付け報知装置から報知されるコンテンツが変化する（ステップＳ４０５）。ステップＳ４０４又はステップＳ４０５の後は、ステップＳ４０１の動作が行われる。
【００７０】
実施の形態４において、外付け報知装置の筐体１２は、かご内操作盤７のインジケータ１１のうち現在かご５が位置する階床が表示される領域及び行先階ボタン１０を覆わない状態で、当該かご内操作盤７に対して取り付けられる。検出部１４は、かご内操作盤７を撮影可能な位置に設けられた外部カメラである。外部カメラは、当該かご内操作盤７のインジケータ１１に表示される階床及び当該かご内操作盤７の行先階ボタン１０のうち操作された行先階ボタン１０の少なくとも一方を検出する。制御部１５は、外部カメラにより検出された現在かご５が位置する階床及び外部カメラにより検出された行先階ボタン１０が示す階床の少なくとも一方に基づいて、報知部１３から報知される情報を変化させる。このため、実施の形態４によれば、エレベーター制御盤との通信を行うことなく取得されたかごの現在階及び行先階に基づいて報知内容が変化する。その結果、エレベーターの種類にかかわらず、階床に応じた情報をかご内に報知することができる。また、筐体１２がインジケータ１１の階床表示領域及び行先階ボタン１０を覆わないため、外付け報知装置をより小型化できる。
【００７１】
実施の形態１から４において、筐体１２は、エレベーターのかご内操作盤７に対して取り付けられる。報知部１３は、筐体１２に設けられ、情報を報知する。制御部１５は、かご内操作盤７の外観及び当該かご内操作盤７に対する物理的な操作の少なくとも一方から検出部１４により検出された階床を示す情報に基づいて、報知部１３から報知される情報を変化させる。このため、実施の形態１から４によれば、階床に応じた情報をかご内に報知する機能を既設のエレベーターに対して容易に付加することが可能となる。
【００７２】
実施の形態１から４において、制御部１５は、建物の各階床に関連付けられたコンテンツを予め記憶している。制御部１５は、検出部１４による検出結果に基づく階床に関連付けられているコンテンツを報知部１３から報知させる。このため、実施の形態１から４によれば、かご内の乗客にとって有用な情報を選択的に報知できる。その結果、エレベーターの乗客の利便性を向上させることができる。
【００７３】
実施の形態１から４において、コンテンツ選択部１９は、同時に複数のコンテンツを選択してもよい。報知制御部２０は、コンテンツ選択部１９により選択された複数のコンテンツを交互に又は順番にコンテンツ報知部１３ｂから報知させてもよい。この場合、例えば、異なる階へ向かう複数の乗客が同じかごに乗り合わせたとしても、当該かご内の全ての乗客の利便性を向上させることができる。
【００７４】
実施の形態１，２及び４において、コンテンツ選択部１９は、現在かご５が位置すると判定された階床とは異なる階床に関連付けられているコンテンツを選択してもよい。コンテンツ選択部１９は、例えば、かご５の移動方向において、現在かご５が位置すると判定された階床の次の階床に関連付けられているコンテンツを選択してもよい。コンテンツ選択部１９は、例えば、建物の出入口又は連絡通路等が存在する階床を案内するコンテンツを選択してもよい。これらの場合、エレベーターの乗客の利便性をより向上させることができる。
【００７５】
実施の形態２から４において、報知制御部２０は、例えば、かご５が応答済みである行先階に関連付けられているコンテンツの報知を終了させる。報知制御部２０は、例えば、操作検出部２１によってランプの点灯が検出されなくなった行先階ボタン１０が示す階床に関連付けられているコンテンツの報知を終了させてもよい。報知制御部２０は、例えば、操作検出部２１によって検出されてから一定時間が経過した行先階ボタン１０が示す階床に関連付けられているコンテンツの報知を終了させてもよい。これにより、不必要な報知が行われることを防止できる。
【００７６】
実施の形態１から４において、外付け報知装置は、かご５の移動を検出する加速度センサを備えてもよい。この場合、報知制御部２０は、加速度センサによる検出結果に基づいて動作してもよい。報知制御部２０は、例えば、かご５が停止している間だけコンテンツ報知部１３ｂからコンテンツを報知させてもよい。報知制御部２０は、例えば、かご５が移動している間だけコンテンツ報知部１３ｂからコンテンツを報知させてもよい。これにより、かご内にコンテンツを報知するタイミングをより詳細に設定することができる。
【００７７】
実施の形態１から４において、外付け報知装置は、省電力モードで動作する機能を有してもよい。外付け報知装置の省電力モードとは、例えば、報知部１３による視覚情報の表示を停止して待機する動作モード等である。制御部１５は、例えば、かご５の移動方向を表す矢印がインジケータ１１から表示検出部１６により検出されない状態が一定時間継続した場合、外付け報知装置を省電力モードに切り替える。つまり、制御部１５は、乗場呼びが一定時間発生していない場合に、外付け報知装置を省電力モードに切り替える。制御部１５は、例えば、かご５の移動方向を表す矢印がインジケータ１１から表示検出部１６により検出された場合、外付け報知装置を省電力モードから復帰させる。また、例えば、検出部１４でかご５の照明の点灯及び消灯を検出可能であれば、制御部１５は、かご５の照明が点灯した際に外付け報知装置を省電力モードから復帰させてもよい。つまり、制御部１５は、乗場呼びが発生した場合に、外付け報知装置を省電力モードから復帰させる。これにより、外付け報知装置の製品寿命を延ばすことができる。
【００７８】
図２０は、外付け報知装置のハードウェア構成図である。
【００７９】
外付け報知装置の制御部１５における記憶部１７、現在階判定部１８、コンテンツ選択部１９、報知制御部２０及び行先階判定部２２の各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図２０は、処理回路が、その一部が専用ハードウェア５０として形成され、プロセッサ５１及びメモリ５２を備えている場合の例を示している。
【００８０】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００８１】
処理回路が少なくとも１つのプロセッサ５１及び少なくとも１つのメモリ５２を備える場合、記憶部１７、現在階判定部１８、コンテンツ選択部１９、報知制御部２０及び行先階判定部２２の各機能は、ソフトウェア、ファームウェア、又はソフトウェアとファームウェアとの組み合わせにより実現される。ソフトウェア及びファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰとも呼ぶ。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００８２】
このように、処理回路は、ハードウェア、ソフトウェア、ファームウェア、又はこれらの組み合わせによって、制御部１５の各機能を実現することができる。
【産業上の利用可能性】
【００８３】
以上のように、本発明は、エレベーターに適用できる。
【符号の説明】
【００８４】
１  エレベーター
２  昇降路
３  巻上機
４  ロープ
５  かご
６  釣合おもり
７  かご内操作盤
８  戸開ボタン
９  戸閉ボタン
１０  行先階ボタン
１１  インジケータ
１２  筐体
１３  報知部
１３ａ  階床報知部
１３ｂ  コンテンツ報知部
１４  検出部
１５  制御部
１６  表示検出部
１７  記憶部
１８  現在階判定部
１９  コンテンツ選択部
２０  報知制御部
２１  操作検出部
２２  行先階判定部
５０  専用ハードウェア
５１  プロセッサ
５２  メモリ
【図１】
2018034006.tif 000003
【図２】
2018034006.tif 000004
【図３】
2018034006.tif 000005
【図４】
2018034006.tif 000006
【図５】
2018034006.tif 000007
【図６】
2018034006.tif 000008
【図７】
2018034006.tif 000009
【図８】
2018034006.tif 000010
【図９】
2018034006.tif 000011
【図１０】
2018034006.tif 000012
【図１１】
2018034006.tif 000013
【図１２】
2018034006.tif 000014
【図１３】
2018034006.tif 000015
【図１４】
2018034006.tif 000016
【図１５】
2018034006.tif 000017
【図１６】
2018034006.tif 000018
【図１７】
2018034006.tif 000019
【図１８】
2018034006.tif 000020
【図１９】
2018034006.tif 000021
【図２０】
2018034006.tif 000022
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
エレベーターのかご内操作盤に対して取り付けられる筐体と、
前記筐体に設けられ、情報を報知する報知部と、
前記筐体に設けられ、かご内操作盤の外観及び当該かご内操作盤に対する操作の少なくとも一方から検出部により検出された階床を示す情報に基づいて、前記報知部から報知される情報を変化させる制御部と、
を備え、
前記検出部は、かご内操作盤及びエレベーター制御盤との通信を行うことなく階床を示す情報を検出するエレベーターのかご内操作盤の外付け報知装置。
【請求項２】
前記筐体は、かご内操作盤のインジケータのうち現在かごが位置する階床が表示される領域を覆う状態で当該かご内操作盤に対して取り付けられ、
前記検出部は、前記筐体に設けられ、かご内操作盤のインジケータに表示される階床を検出する表示検出部を有し、
前記制御部は、前記表示検出部により検出された現在かごが位置する階床に基づいて、前記報知部から報知される情報を変化させる請求項１に記載のエレベーターのかご内操作盤の外付け報知装置。
【請求項３】
前記筐体は、かご内操作盤のインジケータのうち現在かごが位置する階床が表示される領域及び行先階ボタンを覆う状態で当該かご内操作盤に対して取り付けられ、
前記検出部は、前記筐体に設けられ、かご内操作盤のインジケータに表示される階床を検出する表示検出部及び当該かご内操作盤の行先階ボタンのうち操作された行先階ボタンを検出する操作検出部を有し、
前記制御部は、前記表示検出部により検出された現在かごが位置する階床及び前記操作検出部により検出された行先階ボタンが示す階床の少なくとも一方に基づいて、前記報知部から報知される情報を変化させる請求項１に記載のエレベーターのかご内操作盤の外付け報知装置。
【請求項４】
前記制御部は、前記表示検出部により検出された現在かごが位置する階床を前記報知部から報知させる請求項２又は３に記載のエレベーターのかご内操作盤の外付け報知装置。
【請求項５】
前記筐体は、かご内操作盤のインジケータのうち現在かごが位置する階床が表示される領域を覆わずに行先階ボタンを覆う状態で当該かご内操作盤に対して取り付けられ、
前記検出部は、前記筐体に設けられ、かご内操作盤の行先階ボタンのうち操作された行先階ボタンを検出する操作検出部を有し、
前記制御部は、前記操作検出部により検出された行先階ボタンが示す階床に基づいて、前記報知部から報知される情報を変化させる請求項１に記載のエレベーターのかご内操作盤の外付け報知装置。
【請求項６】
前記筐体は、かご内操作盤のインジケータのうち現在かごが位置する階床が表示される領域及び行先階ボタンを覆わない状態で当該かご内操作盤に対して取り付けられ、
前記検出部は、かご内操作盤を撮影可能な位置に設けられた外部カメラであり、当該かご内操作盤のインジケータに表示される階床及び当該かご内操作盤の行先階ボタンのうち操作された行先階ボタンの少なくとも一方を検出し、
前記制御部は、前記外部カメラにより検出された現在かごが位置する階床及び前記外部カメラにより検出された行先階ボタンが示す階床の少なくとも一方に基づいて、前記報知部から報知される情報を変化させる請求項１に記載のエレベーターのかご内操作盤の外付け報知装置。
【請求項７】
前記制御部は、建物の各階床に関連付けられたコンテンツを予め記憶しており、前記検出部による検出結果に基づく階床に関連付けられているコンテンツを前記報知部から報知させる請求項２から６のいずれか１項に記載のエレベーターのかご内操作盤の外付け報知装置。
【手続補正２】
【補正対象書類名】明細書
【補正対象項目名】０００６
【補正方法】変更
【補正の内容】
【０００６】
本発明に係るエレベーターのかご内操作盤の外付け報知装置は、エレベーターのかご内操作盤に対して取り付けられる筐体と、筐体に設けられ、情報を報知する報知部と、筐体に設けられ、かご内操作盤の外観及び当該かご内操作盤に対する操作の少なくとも一方から検出部により検出された階床を示す情報に基づいて、報知部から報知される情報を変化させる制御部と、を備え、検出部は、かご内操作盤及びエレベーター制御盤との通信を行うことなく階床を示す情報を検出するものである。
【国際調査報告】
2018034006.tif 000023
2018034006.tif 000024